(57)【要約】【課題】ウォーターマークの挿入とコンテンツの分類を独自に進めて時間がかかり、不要な作業が要求されるという従来の問題を解決する。【課題を解決するための手段】ウォーターマークを挿入する方法であって、ユーザアップロードを介してコンテンツを獲得するステップと、前記アップロードされたコンテンツを保存するステップと、ユーザまたは管理者から前記コンテンツ変換要求を受信するステップと、前記変換要求を受けたコンテンツの種類が動画であるかまたはイメージであるかを判別するステップと、前記コンテンツをコンテンツの種類に対応して変換するステップと、及び変換されたコンテンツにコンテンツの種類に相応するウォーターマークを挿入するステップと、を有する。【選択図】図２
2014096778.tif 000002
【特許請求の範囲】
【請求項１】
ユーザコンテンツアップロード要求と管理者の前記コンテンツ変換要求を獲得する制御部と、
前記アップロードされたコンテンツ及び/またはコンテンツ変換が行なわれたコンテンツを保存するコンテンツ保存部と、及び
前記制御部の指示に応じて前記アップロードされたコンテンツに対してコンテンツ変換を行い前記コンテンツにウォーターマークを挿入して前記コンテンツ保存部に保存するコンテンツ変換部と、
を有するウォーターマーク挿入装置。
【請求項２】
前記制御部は、ＰＣ（パソコン）、ノートＰＣ、ネットブック、スマートフォン、タブレットＰＣのうちいずれか一つと有線または無線通信を利用してユーザコンテンツ要求を獲得する請求項１に記載のウォーターマーク挿入装置。
【請求項３】
前記コンテンツ保存部は、
前記アップロードされたコンテンツを保存したり、コンテンツ変換及びウォーターマーク挿入済みのコンテンツを保存する請求項１に記載のウォーターマーク挿入装置。
【請求項４】
前記コンテンツ変換部は、
前記コンテンツ保存部からコンテンツを要求してＦＩＦＯ方式でコンテンツ変換処理を行なう請求項１に記載のウォーターマーク挿入装置。
【請求項５】
前記コンテンツ変換部は、
前記コンテンツ保存部から獲得したコンテンツ種類を判別してそれに相応するウォーターマークを挿入する請求項１に記載のウォーターマーク挿入装置。
【請求項６】
ユーザアップロードを介してコンテンツを獲得するステップと、
前記アップロードされたコンテンツを保存するステップと、
ユーザまたは管理者から前記コンテンツ変換要求を受信するステップと、
前記変換要求を受けたコンテンツの種類が動画であるかまたはイメージであるかを判別するステップと、
前記コンテンツをコンテンツの種類に対応して変換するステップと、及び
変換されたコンテンツにコンテンツの種類に相応するウォーターマークを挿入するステップと、
を有するウォーターマーク挿入方法。
【請求項７】
前記コンテンツの種類に対応して変換するステップは、
前記コンテンツが動画である場合はエンコードを行い、イメージである場合は指定されたサイズ毎にサムネイルを抽出して変換する請求項６に記載のウォーターマーク挿入方法。
【請求項８】
前記コンテンツの種類に対応して変換するステップは、
前記コンテンツが動画である場合はエンコードを行なった結果物が動画再生機器の種類に関係なく再生できるように変換する請求項６に記載のウォーターマーク挿入方法。
【請求項９】
前記ウォーターマークを挿入するステップは、
前記コンテンツ動画の画面またはコンテンツイメージのサイズに合わせてウォーターマークのサイズを変更して挿入する請求項６に記載のウォーターマーク挿入方法。
【請求項１０】
前記ウォーターマークを挿入するステップは、
前記動画の画面またはイメージに相応してウォーターマークの位置を変更して挿入する請求項６に記載のウォーターマーク挿入方法。
【発明の詳細な説明】
【技術分野】
【０００１】
本発明は、ウォーターマーク（ｗａｔｅｒｍａｒｋ）挿入装置及び方法に関し、より詳しくは、コンテンツの自動変換処理を通じたウォーターマーク挿入装置及び方法に関する。
【背景技術】
【０００２】
情報通信技術が発達するにつれて、各種データの形態はアナログ形態から加工
処理が容易で且つ複数回再生或いはコピーした後でも品質低下が全く生じないデジ
タル形態に変化しており、インターネットの発達につれてデジタル形態のデータが
広く流通されている。
【０００３】
そのうちデジタル映像はＪＰＥＧ（ｊｏｉｎｔ  ｐｈｏｔｏｇｒａｐｈｉｃ
ｃｏｄｉｎｇ  ｅｘｐｅｒｔｓ  ｇｒｏｕｐ）などのような圧縮技術の発達により
インターネット上で広く利用されている。
【０００４】
これらのデジタル映像は、コピーや流通が容易なため、インターネットなどの開
放されたスペースで著作者の同意無しにむやみに流通される時に、原作者及び所有者の知的財産権が保護されないという問題が発生する。
【０００５】
現在、これらの問題を解決するために、デジタル映像に非認知的な信号を内在させて、これを認証及び所有権保護に用いる技法として、デジタル映像偽造と変造、不正使用有無を検出し、所有権を主張できるウォーターマーキング方式が提案されている。
【０００６】
現在、開発されたウォーターマーキング方式は様々ではあるが、現在は擬似ランダム系列（ｐｓｅｕｄｏ  ｒａｎｄｏｍ  ｓｅｑｕｅｎｃｅ）が主に利用されている。また、ウォーターマークを挿入する領域に対しても空間定義域（ｓｐａｔｉａｌ  ｄｏｍａｉｎ）よりはＤＦＴ（Ｄｉｓｃｒｅｔｅ  Ｆｏｕｒｉｅｒ  Ｔｒａｎｓｆｏｒｍ）またはＤＣＴ（ Ｄｉｓｃｒｅｔｅ  Ｃｏｓｉｎｅ  Ｔｒａｎｓｆｏｒｍ ）などを利用した変換領域（ｔｒａｎｓｆｏｒｍｅｄ  ｄｏｍａｉｎ）が主に利用されている。
【０００７】
ところが、従来の発明は、コンテンツを保存し、変換を行なう過程において体系的にコンテンツの種類を判別する過程無しにウォーターマークを挿入するところ、ユーザが再びコンテンツを種類別に分類しなければならなかったため、不要な時間がかかり、作業効率が低くて使用するのに不便だという問題があった。
【発明の概要】
【発明が解決しようとする課題】
【０００８】
本発明は、ユーザがアップロードしたコンテンツの種類を考慮してこれを判別し、これに応じてコンテンツの自動変換処理とウォーターマークを挿入するウォーターマーク挿入装置及び方法を提供することを目的とする。
【課題を解決するための手段】
【０００９】
本発明の一面によるウォーターマーク挿入装置は、ユーザコンテンツのアップロード要求と管理者の前記コンテンツ変換要求を獲得する制御部と、前記アップロードされたコンテンツ及び/またはコンテンツ変換が行なわれたコンテンツを保存するコンテンツ保存部と、及び前記制御部の指示に応じて、前記のアップロードされたコンテンツに対してコンテンツ変換を行い、前記コンテンツにウォーターマークを挿入して前記コンテンツ保存部に保存するコンテンツ変換部と、を有する。
【００１０】
本発明の他面によるウォーターマーク挿入方法は、ユーザのアップロードを介してコンテンツを獲得するステップと、前記アップロードされたコンテンツを保存するステップと、ユーザまたは管理者から前記コンテンツ変換要求を受信するステップと、前記変換要求を受けたコンテンツの種類が動画であるかまたはイメージであるかを判別するステップと、前記コンテンツをコンテンツの種類に対応して変換するステップと、及び変換されたコンテンツにコンテンツ種類に対応するウォーターマークを挿入するステップと、を有する。
【発明の効果】
【００１１】
本発明によると、コンテンツの種類を考慮して動画である場合は、エンコード処理を行い、イメージである場合は、指定したサイズ毎にサムネイル（ｔｈｕｍｂｎａｉｌ）を抽出し、エンコードとサムネイル処理と共にウォーターマークを挿入する。従って、コンテンツの種類を体系的に分類することなく、個別にウォーターマークを挿入する従来の技術に比べてコンテンツの種類を組織的に分け、コンテンツの変換処理と共にウォーターマークを挿入することができ、ユーザが体系的に分類されウォーターマークが挿入されたコンテンツを獲得できるので便利である。従って、ウォーターマーク挿入とコンテンツ分類を独自に進めて時間がかかり、不要な作業が要求される従来の問題を解決することができる。
【００１２】
また、ウォーターマークを動画とイメージのサイズに合わせてサイズや位置を選択し変更することができるので、ユーザが自分の好みに合わせてウォーターマークのサイズや位置を選択して調整できるので便利である。
【００１３】
また、コンテンツ変換処理を行なってからウォーターマークを挿入するので、変換されたファイルのサイズに応じてウォーターマークのサイズが変わるのではなく、コンテンツの変換に応じてファイルのサイズが変わってもウォーターマークのサイズは同一に維持される。
【図面の簡単な説明】
【００１４】
【図１】本発明の実施形態に係るウォーターマーク挿入装置の構成図である。
【図２】本発明の実施形態に係るウォーターマーク挿入方法のフローチャートである。
【発明を実施するための形態】
【００１５】
以下、添付された図面を参照して本発明の実施形態を詳細に説明する。
【００１６】
図１は、本発明の実施形態によるウォーターマーク挿入装置の構成図である。図１を参照すると、ウォーターマーク挿入装置１００は、制御部１１０、コンテンツ保存部１２０及びコンテンツ変換部１３０を有する。
【００１７】
制御部１１０は、ユーザコンテンツアップロード要求と管理者のコンテンツ変換要求を獲得する。詳細には、制御部１１０は、ＰＣ（パソコン）、ノートＰＣ、ネットブック、スマートフォン、タブレットＰＣのうちいずれか一つと有線または無線通信を利用してユーザコンテンツ要求を獲得する。
【００１８】
例えば、ユーザがサムスン電子製のギャラクシータップ１０．１インチタブレットＰＣをｗｉ−ｆｉを介してウォーターマーク挿入装置１００にアクセスして映画の動画や高解像度のイメージを要求すると、制御部１１０はユーザコンテンツ要求を獲得する。
【００１９】
コンテンツ保存部１２０は、アップロードされたコンテンツ及び/またはコンテンツの変換が行なわれたコンテンツを保存する。コンテンツ保存部１２０は、アップロードされたコンテンツを保存したり、コンテンツ変換及びウォーターマーク挿入済みのコンテンツを保存する。
【００２０】
具体的に、コンテンツ保存部１２０は、アップロードされた映画の動画やイメージを保存し、後述するコンテンツ変換が行なわれてウォーターマーク（例えばＣｏｎｔｅｎｔｓ  Ｗａｙ）が挿入された映画の動画やイメージを保存する。
【００２１】
コンテンツ変換部１３０は、制御部１１０の指示に応じてアップロードされたコンテンツに対してコンテンツ変換を行い、コンテンツにウォーターマークを挿入してコンテンツ保存部１２０に保存する。
【００２２】
また、コンテンツ変換部１３０は、コンテンツ保存部１２０からコンテンツを要求してＦＩＦＯ方式でコンテンツ変換処理を行なう。ＦＩＦＯ方式は（Ｆｉｒｓｔ−ｉｎ−ｆｉｒｓｔ−ｏｕｔ）データ資料構造の方式で、先に入ってきた資料が先に出力される方式である。例えばコンテンツ保存部に映画の動画が映画１、映画２、映画３のように保存された場合、コンテンツの変換時にも映画１、映画２、映画３の順に変換処理される。
【００２３】
コンテンツ変換部１３０は、コンテンツ保存部１２０から獲得したコンテンツの種類を判別してそれに相応するウォーターマークを挿入する。
【００２４】
具体的には、コンテンツ変換部１３０は、変換要求を受けたコンテンツ種類の拡張子がａｖｉ、ｍｐｅｇ、ｍｐ４、ｗｍｖ、ａｓｆ、ａｓｘ、ｆｌｖ、ｓｗｆ、ｍｋｗ、ｓｋｍ、ｋ３ｇ、ｏｇｖ、ｔｓ，ｔｐなどであれば動画と判断し、コンテンツ種類の拡張子がｊｐｇ、ｇｉｆ、ｔｉｆ、ｂｍｐ、ｐｎｇ、ｐｃｔ、ｐｃｘなどであればイメージと判断する。
【００２５】
コンテンツ変換部１３０は、獲得したコンテンツがイメージである場合、対角線にウォーターマークを挿入し、獲得したコンテンツが動画である場合は、イメージフレームの中に四角形のウォーターマークを挿入する。
【００２６】
コンテンツ変換部１３０は、獲得したコンテンツが動画である場合は、エンコードを行い、イメージである場合はサムネイルを抽出する。例えば、映画の動画をエンコードすると、２．５７ＧＢのａｖｉファイルから３４７ＭＢのｍｐ４ファイルに変換され、高解像度のイメージをサムネイル抽出すると、２ＭＢのｊｐｇファイルから１０ＫＢのｂｍｐファイルに変換される。
【００２７】
また、コンテンツ変換部１３０は、動画である場合は、エンコードを行なってからウォーターマークを挿入し、イメージである場合は、指定されたサイズ毎に（例えば、５０ＫＢ、２５ＫＢ、１０ＫＢ）サムネイル抽出してウォーターマークを挿入する。
【００２８】
具体的には、コンテンツ変換部１３０は、映画の動画の場合、エンコードを行なうと共にウォーターマーク（Ｃｏｎｔｅｎｔｓ  Ｗａｙ）を挿入し、高解像度のイメージの場合、サムネイルの抽出と共にウォーターマーク（Ｃｏｎｔｅｎｔｓ  Ｗａｙ）を挿入する。
【００２９】
他の実施形態では、コンテンツ変換部１３０は、ウォーターマークのサイズ、位置及び濃度を変更することができる。
【００３０】
例えばコンテンツ動画の画面やコンテンツイメージでウォーターマークのサイズ変更はウォーターマークサイズ変更画面が示され、ユーザの明示的な意思が入力される形で動画の画面サイズやイメージサイズの１００％、５０％、３３％などとウォーターマークのサイズを変更することができる。
【００３１】
ウォーターマークの位置変更は、位置変更のための入力画面が示され、ユーザの明示的な意思が入力される形でユーザが見る画面の上段、下段、左側、右側、中央のいずれか一つにウォーターマークの位置を選択することができ、ドラッグアンドドロップ（ｄｒａｇ  ａｎｄ  ｄｒｏｐ）形で挿入するウォーターマークを上下左右、左側対角線、右側対角線及び円形に移動して自由にウォーターマークの位置を変更することができる。
【００３２】
また、ウォーターマークの濃度も変更することができる。ウォーターマークの濃度変更のための入力画面が示され、プログレッシブバー（ｐｒｏｇｒｅｓｓｉｖｅ  ｂａｒ）形式によって０〜１００％とウォーターマークの濃度を調節することができる。
【００３３】
図２は、本発明の実施形態によるウォーターマークの挿入方法のフローチャートである。
【００３４】
図２を参照すると、まず、ユーザのアップロードを介してコンテンツを獲得する（Ｓ２１０）。
【００３５】
詳しくは、ユーザが制御部１１０を介して映画、ドラマなどの動画ファイル、画像、写真などのイメージファイルをアップロードすると、コンテンツを獲得することができる。
【００３６】
次に、アップロードされたコンテンツを保存する（Ｓ２２０）。具体的にはコンテンツ保存部１２０を介してアップロードされた動画ファイルとイメージファイルを保存する。
【００３７】
続いて、ユーザまたは管理者からコンテンツ変換要求を受信する（Ｓ２３０）。詳しくは制御部１１０を介してユーザまたは管理者からコンテンツ変換要求を受信する。
【００３８】
次に、変換要求を受けたコンテンツの種類が動画であるかまたはイメージであるかを判別する（Ｓ２４０）。詳しくは、変換要求を受けたコンテンツ種類の拡張子がａｖｉ、ｍｐｅｇ、ｍｐ４、ｗｍｖ、ａｓｆ、ａｓｘ、ｆｌｖ、ｓｗｆ、ｍｋｗ、ｓｋｍ、ｋ３ｇ、ｏｇｖ、ｔｓ、ｔｐなどであれば動画と判断し、コンテンツ種類の拡張子がｊｐｇ、ｇｉｆ、ｔｉｆ、ｂｍｐ、ｐｎｇ、ｐｃｔ、ｐｃｘなどであれば、イメージと判断する。例えば、変換要求を受信したファイルが映画の動画である場合、拡張子がａｖｉであることから動画と判断し、高解像度のイメージファイルは拡張子がｊｐｇであることからイメージと判断する。
【００３９】
その後、コンテンツをコンテンツの種類に対応して変換する（Ｓ２５０）。具体的にはコンテンツが動画である場合は、エンコードを行い、イメージである場合は、指定されたサイズ毎にサムネイルを抽出して変換する。
【００４０】
また、コンテンツ変換を行なった結果物が、再生機器の種類に関係なく再生できるフォーマットに変換する。
【００４１】
例えば、コンテンツがフラッシュファイル（ｆｌｖ、ｓｗｆ）の場合、フラッシュプログラムがなければ再生できず、ファイルの拡張子がｔｓまたはｔｐである場合は、専用のプレイヤーが設けられた動画再生機器でのみ再生されるが、エンコードして結果物をｍｐ４、ａｖｉ及びｍｐｇファイルのうちいずれか一つを生成すれば、動画再生機器の種類に関係なく再生することができる。
【００４２】
一方、ｔｐ、またはｔｓファイルと関連して、放送局からＨＤ−ＴＶに送る信号はＴＳであるが、これをコンピュータで保存する方式の一つがｔｐまたはｔｓである。簡単に言えば、ＨＤ−ＴＶソースをそのまま保存したファイルを言い、ファイルの容量が大きくて１時間分量であれば１０ＧＢ以上になるので、適度なサイズへの調節が必要である。
【００４３】
これにより、変換されたコンテンツをホームページなどにサンプル用として開示する場合、そのホームページにアクセスする端末機の種類や端末機に設けられた再生プログラムにかかわらず、アクセスしたユーザがサンプル用コンテンツを再生することができる。
【００４４】
最後に、コンテンツにコンテンツの種類に相応するウォーターマークを挿入する（Ｓ２６０）。
【００４５】
具体的には、コンテンツ動画の画面またはコンテンツイメージのサイズに合わせてウォーターマークのサイズを変更して挿入したり、動画の画面またはイメージに相応してウォーターマークの位置を変更して挿入する。前述したように、コンテンツ変換部１３０は、ウォーターマークのサイズ、位置及び濃度を調節して、ユーザのニーズに合ったウォーターマークを挿入することができる。
【００４６】
また、コンテンツ変換処理を行なってからウォーターマークを挿入するので、ファイルのサイズに応じてウォーターマークのサイズが変わるわけではない。例えば、動画フレームに同じサイズのウォーターマークを（６２４ピクセル×３００ピクセル）挿入する時に１．３７ＧＢ動画（７２０×３００）では相対的にウォーターマークのサイズが小さく、３５０ＭＢ動画（６２４×３５２）ではウォーターマークのサイズが相対的に大きくなる。しかし、コンテンツ変換を行なってからウォーターマークを挿入すると、コンテンツ変換に応じてファイルサイズが変わっても１．３７ＧＢ動画（７２０×３００）ではウォーターマーク（７２０×３００）を挿入することができ、３５０ＭＢ動画（６２４×３５２）ではウォーターマーク（６２４×３５２）を挿入することができるので、コンテンツ変換に応じてファイルのサイズが変わってもウォーターマークのサイズは同一に維持され、ユーザの意思によって決定することができる。
【００４７】
本発明の他の実施形態によると、購買者ＩＤを提供するコンテンツに挿入する方法が考えられる。詳しくは、ウォーターマークは、コンテンツの購入前に含まれるが、購入後は消滅し、購買者が購入したコンテンツをファイル共有サイトにアップロードして違法に流布することが考えられる。
【００４８】
従って、購買者が購入したコンテンツを違法流布することを防止するために、購買者がコンテンツを購入した時に使用した購買者ＩＤをコンテンツの中に挿入することができる。
【００４９】
具体的には、購入を決定する際の購買者ＩＤを該当コンテンツに挿入する。例えばコンテンツが２時間分量の映画の動画である場合、購買者ＩＤを動画ファイルフレームのうち３０分、６０分、９０分に該当するフレームに挿入する。
【００５０】
後日、映画の動画を購入した購買者が映画の動画ファイルを、ファイル共有サイトにアップロードして違法流布する場合、該当動画３０分、６０分、９０分に挿入されたユーザＩＤを追跡して、不法流布したユーザの身元を確保し、コンテンツの不正コピーを防止することができる。
【００５１】
本発明によれば、コンテンツの種類を考慮して動画である場合は、エンコード処理を行い、イメージである場合は指定されたサイズ毎にサムネイルを抽出し、エンコードとサムネイル処理と共にウォーターマークを挿入する。従って、コンテンツ種類を体系的に分類することなく、個別にウォーターマークを挿入する従来の技術に比べてコンテンツの種類を組織的に分け、コンテンツ変換処理と共にウォーターマークを挿入することができ、ユーザが体系的に分類されウォーターマークが挿入されたコンテンツを獲得できるので便利である。従って、ウォーターマークの挿入とコンテンツの分類を独自に進めて時間がかかり、不要な作業が要求される従来の問題を解決することができる。
【００５２】
また、ウォーターマークを動画とイメージのサイズに合わせてサイズや位置を選択して変更できるので、ユーザが自分の好みに合わせてウォーターマークのサイズや位置を選択して調整できるという便利さがある。
【００５３】
また、コンテンツ変換処理を行なってからウォーターマークを挿入するので、変換されたファイルサイズに応じてウォーターマークのサイズが変わるのではなく、コンテンツの変換に応じてファイルサイズが変わってもウォーターマークのサイズは同一に維持される。
【００５４】
以上の説明は、本発明の技術的思想を例示的に説明したものに過ぎず、本発明の属する技術分野において通常の知識を持つ者であれば、本発明の本質的特性を外れない範囲で様々な変更及び変形が可能である。従って、本発明に示された実施形態は、本発明の技術的思想を限定するものではなく、説明するためのものであり、これらの実施形態によって本発明の権利範囲が限定されるものではない。本発明の保護範囲は、特許請求の範囲によって解釈されなければならず、それと同等または均等な範囲内にある全ての技術的思想は、本発明の権利範囲に含まれるものと解釈しなければならない。
【符号の説明】
【００５５】
１００：ウォーターマーク挿入装置
１１０：制御部
１２０：コンテンツ保存部
１３０：コンテンツ変換部
【図１】
2014096778.tif 000003
【図２】
2014096778.tif 000004